(57)【特許請求の範囲】
【請求項１】
板体の上面に１列或いは複数列で、かつ各列に任意の間隔をおいて複数箇所に蕗の根茎を両側より挟持するための複数の挟持爪を対向して設け、
かつ板体には前記挟持爪間若しくは任意の複数箇所に根茎の根のための穴を設け、
複数の挟持爪間で根茎を挟持しうるようにしたことを特徴とする蕗用保持板。
【請求項２】
板体の上面に１列或いは複数列で、かつ各列に任意の間隔をおいて複数箇所に蕗の根茎を挟持するための挟持片を板体に対し常時は閉じる方向に付勢手段で付勢して備え、
かつ前記板体には挟持片の箇所若しくは任意の複数箇所に根茎の根のための穴を設け、
該挟持片と板体との間で付勢手段により根茎を挟持しうるようにしたことを特徴とする蕗用保持板。
【請求項３】
板体の上面に１列或いは複数列で、かつ各列に任意の間隔をおいて複数箇所に固定板と、それに対してガイド溝に沿って進退可能で常時は閉じる方向に付勢手段で付勢する挟持板とを備え、
かつ前記板体には固定板と挟持板間若しくは任意の複数箇所に根茎の根のための穴を設け、
前記固定板と挟持板との間で付勢手段により根茎を挟持しうるようにしたことを特徴とする蕗用保持板。
【請求項４】
板体の上面に１列或いは複数列で、かつ各列に任意の間隔をおいて複数箇所に蕗の根茎を通すための一対の支持片を設け、
該一対の支持片に蕗の根茎を押さえるための押さえ部材を脱着可能に被せ、
かつ前記板体には支持片間若しくは任意の複数箇所に根茎の根のための穴を設け、
押さえ部材を支持片に被せて根茎を保持しうるようにしたことを特徴とする蕗用保持板。
【請求項５】
請求項１〜４に記載したいずれかの蕗用保持板を上部に備えた水耕栽培用容器。
【請求項６】
底部に取除き可能な蓋或いは栓体を設けた請求項５記載の水耕栽培用容器。
【発明の詳細な説明】
【０００１】
【発明の属する技術分野】
この発明は、蕗（ふき）の茎葉（葉柄とも言う）、蕗の薹（とう）を盆栽等にして観賞、栽培するため、蕗の根茎（地下茎、種株とも言う）から育てるのに使用するもので、蕗の根茎を簡単に保持しうる蕗用保持板および水耕栽培用容器に関する。
【０００２】
【従来の技術】
従来、蕗の栽培は、蕗の種株を一定期間冷蔵庫で貯蔵して休眠させ、その後ビニールハウス等で定植して生産されている。また、蕗の薹、蕗の花穂を根茎ごと植木鉢に土植えして盆栽として観賞されることもある。
植物の水耕栽培としては、球根の栽培が知られており、その球根の水耕栽培をするための球根支持装置として、板製の受け子の中央に球根支持孔を設け、外周縁に３個以上の放射状切欠口を設け、その切欠口から球根抱持突起板を突設し、この突起板を内向に放射状に屈折して設けたもの（実公昭３７−１７９４１号公報参照）、或いは、球根の水栽培容器として、球根保持部に蓋部の上面から水平に複数の弾性を有する舌片と、下方に弾性を有する垂下支持体とからなるもの（実公平２−２４４５２号公報参照）などが公知である。
【０００３】
【発明が解決しようとする課題】
球根の水耕栽培をする容器、装置は、前記したように公知ですが、いずれも球根を周りから爪で放射状に保持し、球根の根が伸び水に浸かって生育するもので、長い蕗の根茎（種株）を保持するものはなく、しかも、従来、蕗を水耕栽培するための保持板、鉢等はなく、蕗を観賞用として水耕栽培されることもなかった。
【０００４】
この発明者は蕗の茎葉（葉柄）、蕗の薹を観賞用等にするために蕗の根茎（地下茎、種株とも言う）を簡単に保持する蕗用保持板と、しかも蕗を水耕栽培することを考え、この保持板を容器に備えて、蕗の根茎を簡単に水耕栽培で生育させて、根茎から出る茎葉の色彩の変化、或いは蕗の薹を観賞して楽しむことができるようにすることを考案した。
この発明は、この蕗の根茎を挟持爪、挟持片、挟持板或いは押さえ部材で簡単に保持でき、蕗が生長する際の茎葉の色彩の変化、蕗の薹等を観賞、栽培できる蕗用保持板を提供することを目的とする。また、その蕗用保持板を鉢、容器に備えて蕗の生長を観賞する水耕栽培用容器を提供することを目的とする。
【０００５】
【課題を解決する手段】
この発明の請求項１の蕗用保持板５は、板体１の上面であって、１列或いは複数列で、かつ各列に任意の間隔をおいて複数箇所に蕗の根茎Ａを両側より挟持するための複数の挟持爪２を対向して設け、かつ板体１の挟持爪間若しくは任意の複数箇所に根茎Ａの根のための穴３を設け、複数の挟持爪間で根茎を挟持しうるようにしたことを特徴とするものである。
【０００６】
この発明の請求項２の蕗用保持板５は、板体１の上面に１列或いは複数列で、かつ各列に任意の間隔をおいて複数箇所に蕗の根茎Ａを挟持するための挟持片１２を板体に対し常時は閉じる方向に付勢手段１３で付勢して備え、かつ前記板体には挟持片の箇所若しくは任意の複数箇所に根茎の根のための穴３を設け、該挟持片と板体との間で付勢手段により根茎を挟持しうるようにしたことを特徴とするものである。
【０００７】
この発明の請求項３の蕗用保持板５は、板体１の上面に１列或いは複数列で、かつ各列に任意の間隔をおいて複数箇所に固定板２１と、それに対してガイド溝２４に沿って進退可能で常時は閉じる方向に付勢手段２３で付勢する挟持板２２とを備え、かつ前記板体には固定板と挟持板間若しくは任意の複数箇所に根茎の根のための穴３を設け、前記固定板と挟持板との間で付勢手段により根茎Ａを挟持しうるようにしたことを特徴とするものである。
【０００８】
この発明の請求項４の蕗用保持板５は、板体１の上面に１列或いは複数列で、かつ各列に任意の間隔をおいて複数箇所に蕗の根茎を通すための一対の支持片３１を設け、該一対の支持片に蕗の根茎を押さえるための押さえ部材３２を脱着可能に被せ、かつ前記板体には支持片間若しくは任意の複数箇所に根茎の根のための穴３を設け、押さえ部材を支持片に被せて根茎を保持しうるようにしたことを特徴とするものである。
【０００９】
この発明の請求項５の水耕栽培用容器４０は、請求項１〜４に記載したいずれかの蕗用保持板５を上部に備えたものである。
【００１０】
請求項６の発明は、請求項５記載の水耕栽培用容器４０の底部に取除き可能な蓋或いは栓体を設けたものである。
【００１１】
この第１の発明の構成によれば、蕗の根茎を適宜長さに切断して用意し、板体の上面に１列或いは複数列の複数箇所に対向して設けた複数の挟持爪を弾性を利用して開いて蕗の根茎の複数箇所を両側から挟持して保持する。保持板上に保持した根茎から芽が出て上方へ茎葉が伸び、根茎から出る根は複数の穴を通じて下方へ伸びる。蕗の根茎は水に浸けなくとも時期になると、切断した端、中間の節から芽が出て、茎葉が現れる。芽から蕗の薹が出て、花穂がつくこともある。
この蕗の根茎を挟持した蕗用保持板を鉢、容器に適宜備え、容器に水を入れて水耕栽培するか、或いは土を入れて時々水を与えると、茎葉は生育する。この茎葉の生育において紫外線の受け方で茎の色彩が、紫に変色し、葉はグリーンとなるのを盆栽として観賞する。また、蕗の薹が出れば、花を観賞できる。蕗用保持板の板体を楕円形、長方形等横長の形状とすれば、長い蕗の根茎を１又は複数本並べることができる。長い蕗の根茎の複数箇所から蕗の茎葉を出させることができる。
【００１２】
この第２の発明の構成によれば、板体の上面に設けた各挟持片を付勢手段に抗して開いて板体上に蕗の根茎を挿入し、付勢手段により挟持片を閉じて根茎を挟持して保持する。保持板に保持した根茎から芽が出て上方へ茎葉が伸び、根は複数の穴を通じて下方へ伸びる。而して、前記と同様に、板体に保持した蕗の根茎から芽が出て、茎葉、蕗の薹が現れ生長するのを観賞する。
【００１３】
この第３の発明の構成によれば、板体の上面に設けた固定板に対して挟持板を付勢手段に抗して開いてその間に蕗の根茎を挿入してから付勢手段で挟持板を固定板側へ押圧させて挟持する。保持板に保持した根茎から芽が出て上方へ茎葉が伸び、根茎から出る根は複数の穴を通じて下方へ伸びる。而して、前記と同様に、板体に保持した蕗の根茎から芽が出て、茎葉、蕗の薹が現れ生長するのを観賞する。
【００１４】
この第４の発明の構成によれば、板体の上面に設けた一対の支持片に押さえ部材を脱着可能に被せるので、蕗の根茎を保持するときに、押さえ部材を外して一対の支持片間に根茎を挿入してから押さえ部材を支持片に被せて根茎を保持する。而して、前記と同様に、板体に保持した蕗の根茎から芽が出て、茎葉、蕗の薹が現れ生長するのを観賞する。根茎から出る根は複数の穴を通じて下方へ伸びる。
【００１５】
この第５の発明の水耕栽培用容器の構成によれば、請求項１〜４記載のいずれかの蕗用保持板を上部に備え、容器に水、培養液等の液体を入れ、蕗の根が伸びて生育させる。板体に保持した蕗の根茎から芽が出て、茎葉、蕗の薹が現れるのを観賞する。
【００１６】
この第６の発明の構成によれば、容器の底部に蓋或いは栓体を設けたので、水耕栽培の場合には、蓋或いは栓体は取らないで、容器として使用して、水、培養液等液体を入れて使用する。また、土壌栽培に変える場合には、蓋を引き剥がし、或いは打ち抜き、或いは栓体を抜いて排水孔をあけ、容器に土を入れて通常の鉢として使用する。
【００１７】
【発明の実施の形態】
この発明の蕗用保持板の実施形態を図面に基づいて説明する。図１はこの発明の蕗用保持板の平面図、図２は同一部破断正面図、図３は蕗用保持板の挟持爪の拡大斜視図、図４は蕗の茎を挟持爪で挟持した状態の斜視図、図５は同断面図、図６は蕗用保持板の挟持爪の別の実施形態を示す拡大斜視図、図７は蕗の根茎を挟持した状態の斜視図、図８は蕗用保持板の別の実施形態を示す平面図、図９は同一部破断側面図、図１０は蕗用保持板の別の実施形態で、挟持片を備えた平面図、図１１は同側面図、図１２は蕗用保持板の別の実施形態で、固定板と挟持板を備えた平面図、図１３は同側断面図、図１４は蕗を挟持する状態の同側断面図、図１５は同断面図、図１６は支持片に押さえ部材を被せた状態の平面図、図１７は同断面図、図１８は根茎に茎葉が生長した状態の蕗用保持板の断面図、図１９は根茎に蕗の薹が咲いた状態の蕗用保持板の断面図である。
【００１８】
図１乃至図９において、この発明の蕗用保持板５は、合成樹脂製、ゴム製、金属製等板体１であって、上面に１列或いは複数列で、各列に任意の間隔をおいて蕗の根茎（地下茎、種株）Ａを保持する複数の挟持爪２を対向して設け、かつ板体１には挟持爪間若しくは任意の複数箇所に蕗の根Ｄのための複数の穴３が設けられている。任意の箇所としては対向する挟持片間、隣の挟持片との間、或いは各列間などをいう。
長い蕗の根茎Ａは根茎を上記板体の長さよりは短い長さに切り、この１又は複数本の根茎を上記保持板に設けた１又は複数列の複数の挟持爪２に挟持する。
【００１９】
蕗用保持板５の板体１は、少なくとも適当な長さに切った蕗の根茎Ａを並べることができる広さとする。実施形態では３本の蕗の根茎を間隔を開けて並べることができる広さとしてある。この保持板の形状は、図１に示す楕円形、図９に示す長方形等横長の形状とするのが好ましい。板体１は、弾力性のある材質で、厚みは少なくとも根茎、茎葉等の重さを保持できる厚みとする。合成樹脂製の板体の場合には例えば厚みは２〜３ｍｍ程度とする。前記板体１の形状は、横長としたが、それに限るものではなく、円形、或いは正方形等でもよい。
また、板体１の上面には板体の補強のために挟持爪の間に凸条４が設けられている。この凸条４は板体に対して縦方向、或いは横方向若しくは斜め方向等に設けることができる。凸条４は板体の上面に設けたが、これに限られるものでなく、下面等に設けても良い。
【００２０】
根茎Ａを挟持する複数の挟持爪２は板体１の上面に１列或いは複数列に任意の間隔をおいて対向して設けられている。すなわち、一対の挟持爪２、２は隣り合わせで反対向きとし、根茎Ａを通す間隔を開けて対向して設けられ、交叉状とされて根茎を両側から挟むように設けられる。この挟持爪２は、細長い長方形でかつ厚みは若干薄く形成され、挟持爪の先端を手で弾性を利用して引き起こして根茎を入れてから、手を離すと、挟持爪の復元力で根茎が挟持される。この挟持爪の幅は蕗の芽、茎葉の邪魔にならないように幅狭とし、厚みは弾性を持たせ、復元力で根茎を挟持するために約１ｍｍ程度とするのが好ましい。この挟持爪の挟持圧は根茎を傷めない程度で、両側から挟むようにする。この挟持爪は板体と一体でも、別体として接着材で接着するものでも良い。
【００２１】
前記一対の対向して設ける挟持爪２、２は板体１と一体に彎曲状に形成し、その彎曲状の挟持爪を引き起こして蕗の根茎Ａを両側から挟持する。この構成により、蕗用保持板の板体に彎曲状に形成した挟持爪の弾性を利用して復元力で蕗の根茎に圧接され、その彎曲面で蕗の根茎が的確、かつ簡単に保持できる。挟持爪の設け方は上記のものに限定されるものではない。
【００２２】
図１、図８において、挟持爪２は３列の各列の複数箇所に一対ずつ等間隔をおいて蕗の根茎Ａを両側より保持するように対向して設けられ、弾性を持たせて常時復元力で元に戻るように設けられている。
蕗の根茎Ａを挟持するとき、図４、図５、図７に示すように交叉状とした挟持爪２、２の先端を弾性を利用して手で引き起こして根茎Ａを挿入し、その後手を離すと挟持爪２の復元力で挟持される。根茎は挟持爪で交叉状に挟持されるので、蕗の根茎Ａが抜け出ることがなく、安定して保持できる。また、挟持爪２は蕗の根茎から出る芽、茎葉、根等の邪魔になることはない。
前記一対の挟持爪は隣り合わせに対向して設けてあるが、間隔を開けて設けることもできる。また、挟持爪２を長方形状としたが、これに限られるものではなく、例えば、根元を幅広くし、先細の形状等適宜形状に形成することもできる。一対の挟持爪は互い違いに設けたが、これに限られるものではなく、挟持爪を相対向して設けることもできる。その場合には相対向する挟持爪が復元位置で当たらないように設ける。
また、３列の挟持爪の配列は、直線状でかつ平行に設けられている。盆栽として、茎葉が出る状態を考えて、根茎の配列の位置を変えることもできる。すなわち、根茎は多少は曲げることができるので、挟持爪の配列を、例えば、上下の列は曲線上に設けておき、根茎を中央の列は直線状に、かつ上下の列は円弧に沿って曲線上に配置することもできる。
【００２３】
図１における実施形態では、板体１が楕円形で、中央部は長いので、挟持爪２を設ける箇所が多く、上下は短いので、挟持爪の数を若干少なくして、中央に長い根茎を、上下に短い根茎を保持できるようにしてある。その板体１に一対の挟持爪が千鳥状に配置されているが、これに限られるものではなく、例えば図８に示すように縦横に揃えて配置してもよい。
【００２４】
前記蕗用保持板５の板体１に設ける蕗の根のための穴３は蕗の根が下方に伸び、水耕栽培では根を水の中に張り出させることができ、又、土壌栽培では根を土に根付かせる。穴３の大きさは、少なくとも根が入る大きさとする。一対の挟持爪２の間に挟持爪とほぼ同じ幅に蕗の根のための穴３が形成され、また、隣設する挟持爪とのほぼ中間にも適宜形状の穴３が形成されている。すなわち、蕗の根茎Ａの節の間隔は不揃いで、たくさんあるので、節が挟持爪のところだけでなく、隣の挟持爪との間にも位置し、節の当たり、端などから根、茎葉が出る。そこで穴３は板体１の任意の複数箇所に設け、根茎の根が複数の穴３から出るようにする。前記穴３の形状は挟持爪を切り出した四角形の穴と、挟持爪間の円形の穴が形成されているが、これに限られるものでなく、楕円、多角形等適宜形状とすることは自由にできる。
【００２５】
図６および図７に示す別の実施形態の蕗用保持板５は、一対の挟持爪２が板体に切り込み形成され、挟持爪を引き起こして蕗の根茎を挟持しうるように一体形成されている。一対の挟持爪２は、隣接して対向して形成され、弾性を持たせて復元力で元に戻るように設けられている。この一対の挟持爪２を引き起こすと、そこに根のための穴３が形成される。この構成により、蕗用保持板の板体に切り込み形成した挟持爪を弾性を利用して引き起こして板体上に蕗の根茎を挿入してから手を離すと、挟持片の復元力で根茎が圧接され、簡単に保持できる。
【００２６】
図８および図９に示す別の実施形態の蕗用保持板５は、板体１を長方形として、上面に１列或いは複数列で、各列に任意の間隔をおいて複数の挟持爪２が縦横に揃えて配置されている。挟持爪の設け方は前記実施形態と同じである。この蕗用保持板５の場合にも前記と同様に適宜の長さの蕗の根茎を挟持爪２で挟持することができる。また、板体１の下面には補強用の凸条４が設けられている。
【００２７】
図１０および図１１に示す別の実施形態の蕗用保持板５は、挟持片を付勢手段に抗して開いて蕗の根茎を挟むものである。
この蕗用保持板５は、板体１の上面に１列或いは複数列で、かつ各列に任意の間隔をおいて複数箇所に蕗の根茎を挟持するための挟持片１２が常時は閉じる方向に付勢手段１３で付勢して備えられる。挟持片１２は板体１の上面に設けた支持部１４に軸１５で枢支され、その軸に付勢手段１３としてバネを備え、挟持片の後端において、バネの一端を板体側と、その他端を挟持片の裏面とに当て或いは装着し、挟持片の後端を広げてその先端側を常時は閉じる方向へ付勢させる。バネの圧力は蕗の根茎を傷めないように、軽く根茎を押さえる程度の適正な圧力とする。
また、前記板体１には、前記実施形態と同様に挟持片の箇所若しくは任意の複数箇所に根茎の根のための穴３が設けられる。任意の箇所としては対向する挟持片間、隣の挟持片の間、或いは各列間などをいう。
この構成により、蕗用保持板の板体の支持部に備えた挟持片１２の後端をバネ１３に抗して押し下げて挟持片の先端側を起こして板体上に蕗の根茎を挿入してから手を離すと、挟持片の復元力で根茎が圧接され、簡単に保持できる。
挟持片は、各列の片側に間隔をおいて設けた場合を示したが、これに限られるものではなく、前記実施形態のように一対の挟持片を対設して、両側より挟持することもできる。
【００２８】
図１２乃至図１５に示す別の実施形態の蕗用保持板５は、固定板に対して挟持板を進退して蕗の根茎を挟持するものである。
この蕗用保持板５は、板体１の上面に１列或いは複数列で、かつ各列に任意の間隔をおいて複数箇所に固定板２１と、それに対してガイド溝２４に沿って進退可能で、常時は閉じる方向に付勢手段２３で付勢して備えた挟持板２２とが備えられ、固定板に対して挟持板２２が接離可能とされる。
固定板２１は板体１に一体に固定されている。挟持板２２は台形状として、ガイド溝２４は、板体１の上面に断面がアリ溝の形状に設けられ、該ガイド溝２４に台形状の挟持片２２が移動可能に嵌合され、その背面と板体１に設けたバネ受け止め部２５との間にバネ２３が挟持板を常時前方へ付勢した状態で装着される。ガイド溝２４前端と固定板２１との間隔は少なくとも根茎Ａの径よりは狭くしておき、固定板と挟持片２２間で根茎Ａを軽く挟むことができるようにする。バネの圧力は蕗の根茎を傷めないように、軽く根茎を押さえる程度の適正な圧力とする。
前記板体１には固定板と挟持板間若しくは任意の複数箇所に根茎の根のための穴３が設けられている。任意の箇所としては対向する固定板と挟持板間、隣の固定板と挟持片の間、或いは各列間などをいう。
この構成により、蕗用保持板の板体の固定板２１に対して挟持板２２をバネ２３に抗して後退させて、固定板と挟持板との間を広げて蕗の根茎Ａを挿入してから手を離すと、挟持板がバネの復元力で押されて、簡単に根茎を挟持することができる。
【００２９】
図１６、図１７に示す別の実施形態の蕗用保持板５は、支持片に蕗の根茎を押さえる押さえ部材を被せて根茎を保持するものである。
この蕗用保持板５は、板体の上面に１列或いは複数列で、かつ各列に任意の間隔をおいて複数箇所に対向して根茎を通すため（根茎を位置決めするため）の支持片３１、３１が一体的に形成されるか、或いは別体として接着材で固着される。支持片３１は、その長さが芽、茎葉の伸びるのに邪魔にならないように比較的短く設けられている。余り長いと根茎の芽から茎葉が伸びる邪魔になる。
押さえ部材３２は、合成樹脂製、金属製等で支持片とほぼ同じ長さで、一対の支持片３１、３１に被せて根茎Ａを押さえることができる形状、例えば、断面形状をコ字型、冠形、円弧型等とし、しかも弾性、バネ圧を持たせ、支持片に被せる。この押さえ部材もその長さが芽、茎葉の伸びるのに邪魔にならないように比較的短く設けられている。余り長いと根茎の芽から茎葉が伸びる邪魔になる。
この押さえ部材３２は対向する支持片３１、３１に弾性、バネ圧で脱着可能に設けられる。
実施形態では、一対の支持片３１は斜めに形成され、押さえ部材３２の弾性、バネ圧を利用して上方から支持片の内面或いは外面に脱着可能に被せて嵌める。押さえ部材３２は上方より支持片の外側に被せて嵌めつけるようにしてあるが、これに限るものでなく、押さえ部材３２の両側を押圧して狭ばめて支持片の内側に挿入して被せることもできる。また、支持片は上記形状に限られるものではなく、例えば、板体に支持片を垂直に設けて押さえ部材を被せるようにもできる。また、前記実施形態と同様に板体には支持片間若しくは任意の複数箇所に根茎の根のための穴３が設けられている。任意の箇所としては対向する支持片間、隣の支持片との間、或いは各列間などをいう。
この構成により、蕗用保持板の板体の支持片３１から押さえ部材３２を外して支持片間に蕗の根茎を挿入してから押さえ部材３２を被せて、簡単に根茎を押さえることができる。
【００３０】
蕗の栽培方法の一例を図１の実施形態により説明する。
蕗は種株とする根茎を養成し、種株の充実を図り、ほ場から根茎を６月に掘り上げ、水洗いして冷蔵庫に入れ、１ヶ月以上休眠させてから取り出して、適当な長さに切断する。根茎は節より少し離れたところで切断する。節の極く近くで切断すると根茎が腐る。根茎は、芽、古根がついたものがある。盆栽としては、芽が同じように出ている根茎を保持板に並べ、茎葉がほぼ同じように伸びるようにするのが好ましい。
この切断した根茎のうち長いのを、蕗用保持板５の中央の列の挟持爪２に挟持し、短いのを上下の列の挟持爪２にほぼ平行に挟持する。
この蕗の根茎を挟持した蕗用保持板を鉢、容器に適宜備え、根茎より自然に芽、根が出て伸び始める。容器に水、培養液等を入れて水耕栽培するか、或いは土を入れて時々水を与えると、茎葉は生育して大きくなる。 蕗は約２０〜３０ｃｍの高さになる。
図１８、図１９に示すように根茎から出る茎葉、蕗の薹は挟持爪、挟持片、挟持板等を除けて生長する。根は挟持爪を除けて穴より下方に伸びる。
根茎Ａは切断した端、節等から芽が出て茎葉Ｂ、或いは蕗の薹Ｃ等が出る。その複数の茎葉Ｂが出て変色するのを楽しむ。日光（紫外線）が当たると変色する。葉がグリーンで、茎が赤紫、紫に変色する。直射日光が当たらないとグリーンが多くなる。直射日光が当たると赤、紫、グリーンの３色となり観賞用として色彩が映える。蕗の薹が出れば、花を観賞できる。根は根茎の節のところ、茎の端、茎の中途などから出るので、前記した複数の穴より下方に伸びる。
蕗用保持板５の挟持爪、挟持板等に蕗の根茎に限らず、三つ葉、菜類、ネギなど苗、或いは種を入れたスポンジ等を保持して三つ葉、菜類、ネギなども生長させ、寄せ植えとして楽しむこともできる。
【００３１】
図２０は蕗用保持板を備えた水耕栽培容器の平面図、図２１は蕗が生育した水耕栽培容器の一部破断正面図、図２２は容器の底部の引き剥がし型蓋を示す平面図である。
【００３２】
図２０および図２１において、この発明の水耕栽培用容器４０は、前記した蕗用保持板５を上部に保持したものである。
この水耕栽培用容器４０の形状は前記した蕗用保持板５を入れるようにする。蕗用保持板５が楕円形、長方形等横長の場合、容器、鉢もそれに合わせた形状とする。容器の材質は合成樹脂製、陶磁器、セラミック、金属製等とする。水耕栽培用容器４０は、蕗の水耕栽培のために水、培養液等液体を入れて使用する。培養液は蕗の生育に必要な肥料等を入れたものである。
水耕栽培用容器４０には、上部内周面に蕗用保持板５を受けて保持する段部４１が設けられている。段部は全周に設けた場合を示したが、これに限られるものではなく、複数箇所に段部を設けたものでもよい。この段部に蕗用保持板５を載せて、蕗の水耕栽培の場合にはに保持板の下面近くまで、液体を入れる。
前記段部４１の複数箇所に保持板の厚みに相当する間隔をおいて断面コ字型突起部を設け、蕗用保持板を弾性を利用して脱着可能に嵌め込み、保持するようにもできる。
【００３３】
水耕栽培用容器４０にはその底部４２に取り除き可能な蓋４３或いは栓体を設け、水耕栽培用容器として使用するときは、蓋或いは栓体を付けたまま使用でき、水耕栽培から土による栽培に変えるときには、蓋或いは栓体を取り除いてこの容器を使用することができる。水耕栽培用容器４０は水耕栽培と土壌栽培に両用できる。
図２１および図２２に示す実施形態では、合成樹脂製の容器４０の底部には内面中央に引き剥がし型蓋４４が設けられている。例えば、底部中央に薄肉部４３が設けられ、その薄肉部にプレス加工により円形、楕円形等適宜形状の切り抜き線を入れて引き剥がすための蓋４４が設けられ、かつその蓋４４に指をかける輪を有する指掛け部４５が設けられ、指掛け部を引っ張って蓋４４を引き剥がし、開口しうるようにする。この蓋４４は水が漏れないように設ける。前記指掛け部４５は容器の底部の外側に設けると、指掛け部が何かに引っ掛かって剥がれ、水漏れを生ずる恐れがあるので、指掛け部は容器の内部に設けるのが好ましい。
実施形態では、蓋を指掛け部で剥がす場合を示したが、これに限られるものではなく、例えば、容器の底部に打ち抜き可能なめくら蓋を設けるか、或いは容器の底部に排出孔を設けてゴム、合成樹脂製等の栓体を水漏れしないように嵌合するか或いはねじ込む等して備えることもできる。
【００３４】
水耕栽培用容器の構成によれば、前記した蕗用保持板を上部の段部４１に保持し、容器に蕗用保持板の近くまで水、培養液等の液体を入れ、蕗の根が伸びて生育させ、茎葉がグリーンより赤紫、茶系のグリーンに変色するのを観賞することができる。蕗は食用とすることもできる。
容器の底部に引き剥がし型蓋４４を設けたので、水耕栽培の場合には、蓋は取らないで、容器として使用して、水、培養液等液体を入れて使用することができる。また、土壌栽培に変える場合には、水を捨て、容器内部の蓋の指掛け部４５に指をかけて引っ張って蓋を引き剥がして開口し、容器に土を入れて通常の植木鉢として使用することができる。
【００３５】
以上の実施形態を示したが、この発明はこの形態に限定されるものではなく、この発明の要旨を逸脱しない範囲で、種々の形態を実施しうるものである。上記実施形態では、蕗用保持板を蕗の根茎を栽培する場合について、説明したが、この蕗用保持板は野菜、例えば、三つ葉、菜類、ネギ、或いは植物、例えば球根の栽培にも利用することができる。
野菜の種場合には、例えば、挟持爪に挟持しうる大きさの適宜形状、例えば、四角形或いは棒状スポンジ等を利用して、スポンジに種を入れて、それを挟持して栽培することができる。この場合にはスポンジの位置まで水に浸けて使用する。
保持板の挟持爪に色々な野菜の種を入れたスポンジを挟持することで、いろいろな野菜が生育して盆栽として楽しむことができ、大きくなれば、食用として利用することもできる。
【００３６】
【発明の効果】
この発明によれば、複数の挟持爪で蕗の根茎を挟持して簡単に保持でき、根茎から出る根は複数の穴を通じて下方へ伸ばすことができる。蕗の根茎を保持板に保持して、根茎から茎葉が生長するとき、紫外線の受け方で茎葉の色彩が、緑、赤、紫に変化するのを観賞することができる。また、蕗の薹が咲けば、花を観賞できる。蕗の他に野菜、植物などを寄せ植えして楽しむこともできる。
蕗用保持板の板体を楕円形、長方形等横長の形状とすれば、長い蕗の根茎を並べ、長い蕗の根茎の複数箇所から蕗の茎葉、蕗の薹を生長させることができる。
【００３７】
この発明によれば、挟持片と板体間で付勢手段により蕗の根茎を挟持して簡単に保持でき、根茎から出る根は複数の穴を通じて下方へ伸ばすことができる。蕗の根茎を保持板に保持して、根茎から茎葉が生長するとき、紫外線の受け方で茎葉の色彩が、緑、赤、紫に変化するのを観賞することができる。
【００３８】
この発明によれば、板体の上面に設けた固定板と挟持板との間に蕗の根茎を挿入して付勢手段により挟持して簡単に保持でき、根茎から出る根は複数の穴を通じて下方へ伸ばすことができる。蕗の根茎を保持板に保持して、根茎から茎葉が出て紫外線の受け方で茎葉の色彩が、緑、赤、紫に変化するのを観賞することができる。
【００３９】
この発明によれば、板体の支持片間に根茎を挿入し押さえ部材を被せて、根茎を簡単に保持でき、根茎から出る根は複数の穴を通じて下方へ伸ばすことができる。蕗の根茎を保持板に保持して、根茎から茎葉が出て紫外線の受け方で茎葉の色彩が、緑、赤、紫に変化するのを観賞することができる。
【００４０】
この発明の水耕栽培用容器によれば、水、培養液等の液体を入れて蕗の根が伸びて蕗を生育させることができる。また、容器の底部に蓋或いは栓体を設け、水耕栽培の場合には、容器として水、培養液等液体を入れて使用することができ、また、土壌栽培に変える場合には、蓋、或いは栓体を取り除いて排水孔とし、容器に土を入れて通常の鉢として使用することができる。
【図面の簡単な説明】
【図１】この発明の蕗用保持板の平面図である。
【図２】同一部破断正面図である。
【図３】蕗用保持板の挟持爪の拡大斜視図である。
【図４】蕗の根茎を挟持爪で挟持した状態の斜視図である。
【図５】同断面図である。
【図６】蕗用保持板の挟持爪の別の実施形態を示す拡大斜視図である。
【図７】蕗の根茎を挟持爪で挟持した状態の斜視図である。
【図８】蕗用保持板の別の実施形態を示す平面図である。
【図９】同一部破断側面図である。
【図１０】蕗用保持板の別の実施形態で、挟持片を備えた平面図である。
【図１１】同側面図である。
【図１２】蕗用保持板の別の実施形態で、固定板と挟持板を備えた平面図である。
【図１３】同側断面図である。
【図１４】蕗を挟持する状態の同側断面図である。
【図１５】同断面図である。
【図１６】支持片に押さえ部材を被せた状態の平面図である。
【図１７】同断面図である。
【図１８】根茎に茎葉が生長した状態の蕗用保持板の断面図である。
【図１９】根茎に蕗の薹が咲いた状態の蕗用保持板の断面図である。
【図２０】蕗用保持板を備えた容器の平面図である。
【図２１】蕗が生育した状態の容器の一部破断正面図である。
【図２２】容器の底部の引き剥がし型蓋を示す平面図である。
【符号の説明】
１  板体
２  挟持爪
３  穴
５  蕗用保持板
１２  挟持片
１３  バネ
２１  固定板
２２  挟持板
２３  バネ
２４  ガイド溝
３１  支持片
３２  押さえ部材
４０  水耕栽培用容器
４４  蓋
Ａ  根茎
Ｂ  茎葉
Ｃ  蕗の薹
Ｄ  根
【図１】
0003761489.tif 000002
【図２】
0003761489.tif 000003
【図３】
0003761489.tif 000004
【図４】
0003761489.tif 000005
【図５】
0003761489.tif 000006
【図６】
0003761489.tif 000007
【図７】
0003761489.tif 000008
【図８】
0003761489.tif 000009
【図９】
0003761489.tif 000010
【図１０】
0003761489.tif 000011
【図１１】
0003761489.tif 000012
【図１２】
0003761489.tif 000013
【図１３】
0003761489.tif 000014
【図１４】
0003761489.tif 000015
【図１５】
0003761489.tif 000016
【図１６】
0003761489.tif 000017
【図１７】
0003761489.tif 000018
【図１８】
0003761489.tif 000019
【図１９】
0003761489.tif 000020
【図２０】
0003761489.tif 000021
【図２１】
0003761489.tif 000022
【図２２】
0003761489.tif 000023